(57)【要約】【課題】並列運転状態での出力電流をより正確に同じに揃える。【解決手段】入力電圧Ｖｉｎをスイッチング素子５ａでスイッチングして変換して、負荷ＬＤが接続される出力端子３ａ，３ｂに出力電流Ｉｏを供給する電力変換部５と、出力電流Ｉｏを検出して出力電流Ｉｏの変化に応じて電圧値が変化する検出電圧Ｖｉを出力する電流検出部７と、検出電圧Ｖｉを入力すると共に検出電圧Ｖｉに対する補正を実行して、出力電流Ｉｏの電流値に対応した電圧値の電流補正検出信号Ｖｏｐを生成して出力する信号補正部８と、電流補正検出信号Ｖｏｐを入力してバランス端子４に出力する抵抗９と、電流補正検出信号Ｖｏｐとバランス端子４に発生するバランス電圧Ｖｂｌとを入力すると共に、電流補正検出信号Ｖｏｐとバランス電圧Ｖｂｌの各電圧値の差分を減少させるようにスイッチング素子５ａのスイッチング動作を制御する制御部ＣＮＴとを備えている。【選択図】図１
2019092244.tif 000002
【特許請求の範囲】
【請求項１】
入力電圧をスイッチング素子でスイッチングして変換して、負荷が接続される出力端子に出力電圧および出力電流を供給する電力変換部と、
前記出力電流または当該出力電流に応じて変化する電流を検出して当該出力電流の変化に応じて電圧値が変化する電流検出信号を出力する電流検出部と、
前記電流検出信号を入力すると共に当該電流検出信号に対する補正を実行して、前記出力電流の電流値に対応した電圧値の電流補正検出信号を生成して出力する信号補正部と、
前記電流補正検出信号を入力してバランス端子に出力する突き合わせ回路部と、
前記電流補正検出信号と前記バランス端子に発生するバランス電圧信号とを入力すると共に、当該電流補正検出信号と当該バランス電圧信号の各電圧値の差分を減少させるように前記スイッチング素子のスイッチング動作を制御する制御部とを備えている電源装置。
【請求項２】
前記信号補正部は、
前記電流検出信号を入力すると共に、前記電流検出部において当該電流検出信号に生じる検出誤差分を補正した電流検出基準信号を出力する基準信号出力部と、
前記電流補正検出信号を入力すると共に増幅して増幅検出信号を出力する増幅部と、
前記電流検出基準信号および前記増幅検出信号を入力すると共に、当該電流検出基準信号と当該増幅検出信号との差分に基づいて前記電流補正検出信号の前記電圧値を制御して、当該増幅検出信号を当該電流検出基準信号に一致させる電圧制御部とを備えている請求項１記載の電源装置。
【請求項３】
前記基準信号出力部は、前記電流検出信号の前記電圧値を示す第１電圧情報に当該電流検出信号を変換するＡ／Ｄ変換部と、予め規定された補正情報に基づいて前記第１電圧情報を補正して前記電流検出基準信号の電圧値を示す基準信号情報を算出する基準信号演算部とを備え、
前記増幅部は、前記電流補正検出信号の電圧値を示す第２電圧情報に当該電流補正検出信号を変換するＡ／Ｄ変換部と、当該第２電圧情報および予め規定された増幅情報に基づいて前記増幅検出信号の電圧値を示す増幅信号情報を算出する増幅信号演算部とを備え、
前記電圧制御部は、前記基準信号情報および前記増幅信号情報を入力して、当該基準信号情報と当該増幅信号情報との差分を算出する差分演算部と、当該算出した差分に応じてデューティ比が変化する制御パルス電圧および当該算出した差分に応じて電圧値が変化する制御電圧のうちのいずれか一方の電圧を発生させる制御電圧発生部とを備えると共に、当該一方の電圧に基づいて前記電流補正検出信号の前記電圧値を制御する請求項２記載の電源装置。
【請求項４】
前記基準信号出力部、前記増幅部および前記制御電圧発生部は、マイコンおよびデジタルシグナルプロセッサのうちのいずれか一方で構成されている請求項３記載の電源装置。
【発明の詳細な説明】
【技術分野】
【０００１】
本発明は、負荷に対して複数個を並列に接続して同時運転を可能に構成された電源装置に関するものである。
【背景技術】
【０００２】
この種の電源装置として、下記の特許文献１に開示された電源装置が広く知られている。この開示された複数の電源装置は、同一の負荷に並列に接続されると共に入力された直流電圧をこの負荷で必要な電圧（出力電圧）に変換して出力するパワー回路、共通のライン（配線）によって相互に接続される端子（電流バランス端子）、負荷に出力される出力電流を検出すると共に出力電流に比例した電圧を出力する出力電流検出回路、および並列運転回路を備えている。この場合、出力電流検出回路は、その実現方法として、例えば、シャント抵抗の両端の電圧を検出する方法やホール素子による検出方法などがある。また、並列運転回路は、これらの出力電流と平均電流とを比較して（具体的には、出力電流検出回路から出力される電圧と電流バランス端子に生じる電圧（各電源装置から出力される出力電流の平均値（平均電流）に比例した電圧）とを比較して）、平均電流よりも自らの出力電流が少ない場合にはパワー回路に対して出力電圧を上昇させる制御を実行して出力電流を増加させ、また平均電流よりも自らの出力電流が多い場合にはパワー回路に対して出力電圧を低下させる制御を実行して出力電流を減少させる制御を実行する。
【０００３】
以上の構成により、この電源装置では、同一の負荷に複数台並列に接続された状態（並列運転状態）において、それぞれの出力電流が同一に制御される。
【先行技術文献】
【特許文献】
【０００４】
【特許文献１】特開２００７−２２１８８０号公報（第５−７頁、第１図）
【発明の概要】
【発明が解決しようとする課題】
【０００５】
ところが、上記の電源装置には、以下のような解決すべき課題が存在している。すなわち、この電源装置では、並列運転回路は、出力電流検出回路から出力される電圧を自らの出力電流を示すものとして用いているが、出力電流検出回路を構成するシャント抵抗の抵抗値や、シャント抵抗で検出された電圧を増幅する増幅器の増幅率や、ホール素子の検出感度は、各製品仕様において規定された許容範囲内でばらつく（つまり、出力電流検出回路には検出誤差が存在している）ことから、出力電流検出回路から出力される電圧が同一であっても、出力電流が同一とは限らない。したがって、この電源装置には、出力電流検出回路での検出誤差に起因して、並列運転状態でのそれぞれの出力電流を正確に同一に制御するのが難しいという解決すべき課題が存在している。
【０００６】
本発明は、かかる課題を解決するためになされたものであり、並列運転状態での出力電流をより正確に同じに揃え得る電源装置を提供することを主目的とする。
【課題を解決するための手段】
【０００７】
上記目的を達成すべく、本発明に係る電源装置は、入力電圧をスイッチング素子でスイッチングして変換して、負荷が接続される出力端子に出力電圧および出力電流を供給する電力変換部と、前記出力電流または当該出力電流に応じて変化する電流を検出して当該出力電流の変化に応じて電圧値が変化する電流検出信号を出力する電流検出部と、前記電流検出信号を入力すると共に当該電流検出信号に対する補正を実行して、前記出力電流の電流値に対応した電圧値の電流補正検出信号を生成して出力する信号補正部と、前記電流補正検出信号を入力してバランス端子に出力する突き合わせ回路部と、前記電流補正検出信号と前記バランス端子に発生するバランス電圧信号とを入力すると共に、当該電流補正検出信号と当該バランス電圧信号の各電圧値の差分を減少させるように前記スイッチング素子のスイッチング動作を制御する制御部とを備えている。この場合、前記信号補正部は、前記電流検出信号を入力すると共に、前記電流検出部において当該電流検出信号に生じる検出誤差分を補正した電流検出基準信号を出力する基準信号出力部と、前記電流補正検出信号を入力すると共に増幅して増幅検出信号を出力する増幅部と、前記電流検出基準信号および前記増幅検出信号を入力すると共に、当該電流検出基準信号と当該増幅検出信号との差分に基づいて前記電流補正検出信号の前記電圧値を制御して、当該増幅検出信号を当該電流検出基準信号に一致させる電圧制御部とを備えている。
【０００８】
これにより、この電源装置によれば、共通の負荷に対して複数個を並列に接続すると共に、各電源装置のバランス端子を共通のラインで接続した際に、電流検出部において生じる検出誤差の影響のない（つまり、出力電流の電流値に正確に電圧値が対応する）電流補正検出信号がそれぞれのバランス端子に出力されるため、各電源装置の電流検出部において個別に生じる検出誤差の影響を受けることなく、各電源装置から負荷に出力される出力電流の電流値を正確に揃えること（同一にすること）ができる。
【０００９】
また、本発明に係る電源装置は、前記基準信号出力部は、前記電流検出信号の前記電圧値を示す第１電圧情報に当該電流検出信号を変換するＡ／Ｄ変換部と、予め規定された補正情報に基づいて前記第１電圧情報を補正して前記電流検出基準信号の電圧値を示す基準信号情報を算出する基準信号演算部とを備え、前記増幅部は、前記電流補正検出信号の電圧値を示す第２電圧情報に当該電流補正検出信号を変換するＡ／Ｄ変換部と、当該第２電圧情報および予め規定された増幅情報に基づいて前記増幅検出信号の電圧値を示す増幅信号情報を算出する増幅信号演算部とを備え、前記電圧制御部は、前記基準信号情報および前記増幅信号情報を入力して、当該基準信号情報と当該増幅信号情報との差分を算出する差分演算部と、当該算出した差分に応じてデューティ比が変化する制御パルス電圧および当該算出した差分に応じて電圧値が変化する制御電圧のうちのいずれか一方の電圧を発生させる制御電圧発生部とを備えると共に、当該一方の電圧に基づいて前記電流補正検出信号の前記電圧値を制御する。
【００１０】
これにより、この電源装置によれば、デジタル処理により、基準信号情報を算出し、増幅信号情報を算出し、かつこれらの情報に基づいて制御パルス電圧または制御電圧を生成して電流補正検出信号の電圧値を制御することができる。このため、この電源装置によれば、電流検出部において生じる検出誤差をデジタル処理でより正確に電流検出信号から除去して基準信号情報を算出することができ、これにより、出力電流の電流値により正確に対応する電流補正検出信号をバランス端子に出力することができることから、各電源装置から負荷に出力される出力電流の電流値を一層正確に揃えること（同一にすること）ができる。
【００１１】
また、本発明に係る電源装置は、前記基準信号出力部、前記増幅部および前記制御電圧発生部は、マイコンおよびデジタルシグナルプロセッサのうちのいずれか一方で構成されている。これにより、この電源装置によれば、基準信号出力部、増幅部および制御電圧発生部を構成する回路の集約化を図ることができることから、信号補正部の小型化を実現することができる。
【発明の効果】
【００１２】
本発明によれば、電流検出部において生じる検出誤差の影響のない電流補正検出信号をバランス端子に出力できるため、複数個を並列に接続した状態において各電源装置から出力される出力電流の電流値を正確に同一に揃えることができる。
【図面の簡単な説明】
【００１３】
【図１】電源装置１の構成、およびこの電源装置１を３個並列に接続して同時運転させるときの構成を示す構成図である。
【図２】図１の信号補正部８の一例としての信号補正部８Ａの構成を示す構成図である。
【図３】図１の信号補正部８の他の例としての信号補正部８Ｂの構成を示す構成図である。
【発明を実施するための形態】
【００１４】
以下、電源装置の実施の形態について、図面を参照しつつ説明する。
【００１５】
最初に、電源装置の一例としての電源装置１の構成について図１を参照して説明する。この電源装置１（図１中では、３個の電源装置１を区別するために、電源装置１１，１２，１３と表記している）は、一例として、一対の入力端子２ａ，２ｂ（以下、特に区別しないときには「入力端子２」ともいう）、一対の出力端子３ａ，３ｂ（以下、特に区別しないときには「出力端子３」ともいう）、バランス端子４、電力変換部５、電圧検出部６、電流検出部７、信号補正部８、突き合わせ回路部９、比較部１０、基準電圧出力部１１、電圧合成部１２、誤差検出部１３、およびスイッチング制御部１４を備え、入力端子２間に入力された入力電圧Ｖｉｎを電力変換部５（具体的には、電力変換部５の後述するスイッチング素子５ａ）でスイッチングして変換して、負荷ＬＤが接続された出力端子３間に出力電圧（直流出力電圧）Ｖｏおよび出力電流（直流出力電流）Ｉｏを供給可能に構成されている。なお、図１中では、３個の電源装置１１，１２，１３に対応させて、出力電圧Ｖｏ１，Ｖｏ２，Ｖｏ３と表記し、また出力電流Ｉｏ１，Ｉｏ２，Ｉｏ３と表記している。
【００１６】
電力変換部５は、少なくとも１つのスイッチング素子５ａを備えて、入力端子２を介して入力される入力電圧Ｖｉｎをこのスイッチング素子５ａでスイッチングして出力電圧Ｖｏに変換すると共に、この出力電圧Ｖｏを出力端子３間に出力する。また、電力変換部５は、負荷ＬＤに供給される出力電流Ｉｏについても、出力端子３に出力する。電力変換部５は、入力電圧Ｖｉｎが交流電圧のときにはＡＣ−ＤＣコンバータとして構成されて出力電圧Ｖｏを出力し、また入力電圧Ｖｉｎが直流電圧のときにはＤＣ−ＤＣコンバータとして構成されて出力電圧Ｖｏを出力する。この場合、スイッチング素子５ａは、スイッチング制御部１４から出力される後述の駆動信号Ｓｄにより、スイッチング動作する（オン・オフ動作する）。
【００１７】
電圧検出部６は、出力電圧Ｖｏを検出すると共に、この出力電圧Ｖｏの電圧値を示す電圧検出信号としての検出電圧Ｖｖ（出力電圧Ｖｏの電圧値に応じて電圧値が変化する検出電圧Ｖｖ（電源装置１の内部グランドＧの電位を基準とする電圧））を出力する。
【００１８】
電流検出部７は、出力電流Ｉｏを検出すると共に、この出力電流Ｉｏの電流値を示す電流検出信号としての検出電圧Ｖｉ（出力電流Ｉｏの電流値に応じて電圧値が変化する検出電圧Ｖｉ）に変換して出力する。電流検出部７は、図示はしないが、例えば、出力電流Ｉｏの電流経路内に配設された電流検出抵抗と、この電流検出抵抗の両端間に発生する電圧を増幅して出力する増幅器とを備えて構成されている。なお、電流検出部７は、出力電流Ｉｏを直接検出する上記の構成に限定されるものではない。例えば、電流検出部７は、出力電流Ｉｏの電流値に応じて電流値が変化する他の電流（一例として入力電流Ｉｉ）を検出して、検出電圧Ｖｉを出力する構成を採用することもできる。図１中では、３個の電源装置１１，１２，１３に対応させて、入力電流Ｉｉ１，Ｉｉ２，Ｉｉ３と入力電流Ｉｉを表記している。
【００１９】
信号補正部８は、検出電圧Ｖｉを入力すると共に、この検出電圧Ｖｉに対する補正を実行して、出力電流Ｉｏの電流値に対応した電圧値の電流補正検出信号Ｖｏｐ（図１中では、３個の電源装置１１，１２，１３に対応させて、電流補正検出信号Ｖｏｐ１，Ｖｏｐ２，Ｖｏｐ３と表記している）を生成して出力する。ここで、電流補正検出信号Ｖｏｐの電圧値が出力電流Ｉｏの電流値に対応するとは、電流補正検出信号Ｖｏｐの電圧値が、出力電流Ｉｏの電流値の変化に伴って、この電流値に予め対応付けられた規定の電圧値（電源装置１１，１２，１３において共通の電圧値）に変化することをいうものとする。したがって、電源装置１１，１２，１３の出力電流Ｉｏの電流値が同じときには、電源装置１１，１２，１３での電流補正検出信号Ｖｏｐ１，Ｖｏｐ２，Ｖｏｐ３の電圧値も同じ値になる。
【００２０】
信号補正部８は、例えば、図２に示す信号補正部８Ａ、および図３に示す信号補正部８Ｂのうちのいずれかで構成されている。
【００２１】
信号補正部８Ａは、図２に示すように、基準信号出力部２１、増幅部２２、電圧制御部２３Ａおよびバッファ部２４を備えている。
【００２２】
基準信号出力部２１は、検出電圧Ｖｉを入力すると共に、この検出電圧Ｖｉに電流検出部７において生じる検出誤差分（例えば、電流検出抵抗の公差内での抵抗値のばらつきに起因する検出誤差分や、増幅器の公差内での増幅率のばらつきに起因する検出誤差分など）を補正した電流検出基準信号Ｓｉ１を出力する。言い換えれば、基準信号出力部２１は、電流検出部７において生じる上記の検出誤差分を含んでいる検出電圧Ｖｉからこの検出誤差分を補正で除去して、電流検出基準信号Ｓｉ１を出力する。これにより、電流検出基準信号Ｓｉ１は、出力電流Ｉｏの電流値の変化に伴って、この電流値に予め対応付けられた規定の値（電源装置１１，１２，１３の各電流検出部７で生じる個別の検出誤差分が除去されることで、電源装置１１，１２，１３の出力電流Ｉｏの電流値が同じときには同一となる値）に変化する信号となっている。
【００２３】
この場合、基準信号出力部２１が電流検出基準信号Ｓｉ１をアナログ信号である電圧信号として生成して出力するときには、電流検出基準信号Ｓｉ１は、その電圧値が出力電流Ｉｏの電流値に予め対応付けられた規定の値（電圧値）に変化する信号となる。また、基準信号出力部２１が電流検出基準信号Ｓｉ１をデジタル信号として生成して出力するときには、電流検出基準信号Ｓｉ１は、その値が出力電流Ｉｏの電流値に予め対応付けられた規定の値に変化する基準信号情報となる。
【００２４】
一例として、基準信号出力部２１は、Ａ／Ｄ変換部３１と、基準信号演算部３２とを備えて、電流検出基準信号Ｓｉ１（基準信号情報）をデジタル処理によって生成して出力する。この場合、Ａ／Ｄ変換部３１は、検出電圧Ｖｉの電圧値を示す第１電圧情報としての波形データＤｉ１にこの検出電圧Ｖｉを変換する。具体的には、Ａ／Ｄ変換部３１は、検出電圧Ｖｉを所定のサンプリング周期（例えば、スイッチング素子５ａのスイッチング周期よりも十分に短い周期）でサンプリングして、検出電圧Ｖｉについての波形データＤｉ１に変換する。基準信号演算部３２は、例えば、デジタルシグナルプロセッサ（ＤＳＰ：Digital Signal Processor）で構成されて、予め規定された補正情報に基づいて波形データＤｉ１を補正して、上記した電流検出基準信号Ｓｉ１（基準信号情報）を算出（出力）する。本例では、電圧制御部２３Ａがデジタル処理する構成のため、基準信号演算部３２は、算出した電流検出基準信号Ｓｉ１（基準信号情報）をそのまま出力する構成を採用しているが、電圧制御部２３Ａがアナログ処理する構成のときには、基準信号演算部３２は、算出した基準信号情報をＤ／Ａ変換して、その電圧値が出力電流Ｉｏの電流値に予め対応付けられた規定の電圧値に変化するアナログ信号である電流検出基準信号Ｓｉ１として出力する構成を採用する。
【００２５】
この補正情報は、出力電流Ｉｏの電流値を規定の電流値Ｉｏａから規定の電流値Ｉｏｂ（≠Ｉｏａ）に変化させたときに、電流検出基準信号Ｓｉ１の値を規定の基準値Ｖｓｒａから規定の基準値Ｖｓｒｂ（≠Ｖｓｒａ）に変化させ得るように、例えば、電源装置１の調整工程において電源装置１毎に求められて、各電源装置１の基準信号演算部３２に、演算式または変換テーブルとして記憶されている。この場合、電流検出部７において生じる検出誤差分は、電源装置１毎に、電流検出部７を構成する電流検出抵抗の公差内での抵抗値のばらつきや、電流検出部７を構成する増幅器の公差内での増幅率のばらつきに起因して相違している。このため、上記の補正情報は、一般的に電源装置１毎に相違したものとなっている。また、出力電流Ｉｏの電流値を電流値Ｉｏａから電流値Ｉｏｂに変化させたときに、電流検出基準信号Ｓｉ１の値を基準値Ｖｓｒａから基準値Ｖｓｒｂに変化させる態様としては、例えば、一次関数的に変化させる態様が一般的であるが、これに限定されるものではない。
【００２６】
増幅部２２は、電圧制御部２３Ａから後述するようにして出力される電流補正検出信号Ｖｏｐを入力すると共に、この電流補正検出信号Ｖｏｐを増幅して増幅検出信号Ｓｉ２を出力する。
【００２７】
一例として、増幅部２２は、Ａ／Ｄ変換部４１と、増幅信号演算部４２とを備えて、増幅検出信号Ｓｉ２（増幅信号情報）をデジタル処理によって生成して出力する。この場合、Ａ／Ｄ変換部４１は、電流補正検出信号Ｖｏｐの電圧値を示す第２電圧情報としての波形データＤｉ２にこの電流補正検出信号Ｖｏｐを変換する。具体的には、Ａ／Ｄ変換部４１は、電流補正検出信号Ｖｏｐを所定のサンプリング周期（Ａ／Ｄ変換部３１のサンプリング周期と同じ周期）でサンプリングして、電流補正検出信号Ｖｏｐについての波形データＤｉ２に変換する。増幅信号演算部４２は、例えば、ＤＳＰで構成されて、波形データＤｉ２および予め規定された増幅情報に基づいて（例えば、波形データＤｉ２に増幅情報で示される規定の定数（増幅率）を乗算して）、上記した増幅検出信号Ｓｉ２（増幅信号情報）を算出（出力）する。本例では、電圧制御部２３Ａがデジタル処理する構成のため、増幅信号演算部４２は、算出した増幅検出信号Ｓｉ２（増幅信号情報）をそのまま出力する構成を採用しているが、電圧制御部２３Ａがアナログ処理する構成のときには、増幅信号演算部４２は、算出した増幅信号情報をＤ／Ａ変換して、その電圧値が電流補正検出信号Ｖｏｐの電圧値に対応して変化するアナログ信号である増幅検出信号Ｓｉ２として出力する構成を採用する。
【００２８】
電流補正検出信号Ｖｏｐは、電圧制御部２３Ａを構成する後述の電圧合成部５３Ａによって後述の制御パルス電圧Ｖｃｏｐの平均電圧と検出電圧Ｖｉとが合成されて生成される電圧である。この場合、電圧合成部５３Ａを構成する後述の抵抗６１（検出電圧Ｖｉが印加される抵抗）の抵抗値に対して、電圧合成部５３Ａを構成する後述の抵抗６３（制御パルス電圧Ｖｃｏｐの平均電圧が印加される抵抗）の抵抗値が十分に大きな値（例えば十数倍から数十倍程度の大きさの値）に規定されている。したがって、電流補正検出信号Ｖｏｐは、電圧合成部５３Ａを構成する後述の分圧抵抗（抵抗６１，６２）によって分圧された検出電圧Ｖｉの影響を主として受けて変化する電圧となっている。このため、増幅情報として、例えば、分圧抵抗（抵抗６１，６２）の分圧比（＝抵抗６１の公称抵抗値／（抵抗６１，６２の各公称抵抗値の合計値）の逆数が上記の増幅情報として予め記憶されている。また、各電源装置１の信号補正部８の構成は同一のため、各電源装置１の増幅信号演算部４２に記憶されている増幅情報は同じものとなっている。
【００２９】
電圧制御部２３Ａは、電流検出基準信号Ｓｉ１および増幅検出信号Ｓｉ２を入力すると共に、電流検出基準信号Ｓｉ１と増幅検出信号Ｓｉ２との差分に基づいて電流補正検出信号Ｖｏｐの電圧値を制御して、増幅検出信号Ｓｉ２の電圧値を電流検出基準信号Ｓｉ１の電圧値に一致させる（つまり、増幅検出信号を電流検出基準信号に一致させる）。
【００３０】
一例として、電圧制御部２３Ａは、差分演算部５１および制御電圧発生部５２Ａを備えている。また、電圧制御部２３Ａは、検出電圧Ｖｉに基づいて電流補正検出信号Ｖｏｐを生成すると共に、制御電圧発生部５２Ａから出力される後述の制御パルス電圧Ｖｃｏｐに基づいて、この電流補正検出信号Ｖｏｐの電圧値を制御する電圧合成部５３Ａを備えている。電圧制御部２３Ａは、本例ではＤＳＰで構成されている。
【００３１】
差分演算部５１は、電流検出基準信号Ｓｉ１および増幅検出信号Ｓｉ２を入力すると共に、電流検出基準信号Ｓｉ１と増幅検出信号Ｓｉ２との差分（各電圧値の差分）をデジタル処理によって算出して、差分信号ｅｉとして出力する。一例として、差分演算部５１は、電流検出基準信号Ｓｉ１の値に対する増幅検出信号Ｓｉ２の値の過不足分を、この過不足分の絶対値に比例して値が変化し、かつ過分のときには極性が負となると共に不足のときには極性が正となる差分信号ｅｉとして出力する。なお、差分演算部５１が、例えば、オペアンプなどのアナログ回路で構成されて、差分信号ｅｉをアナログ処理によって出力する構成のときには、電流検出基準信号Ｓｉ１の電圧値に対する増幅検出信号Ｓｉ２の電圧値の過不足分を検出して、アナログ信号としての差分信号ｅｉを出力する。
【００３２】
制御電圧発生部５２Ａは、差分演算部５１で算出された上記の差分に応じて（つまり、差分信号ｅｉに応じて）デューティ比が変化する制御パルス電圧Ｖｃｏｐをデジタル処理によって生成して出力する。一例として、制御パルス電圧Ｖｃｏｐは、内部グランドＧの電位を基準とするパルス電圧であって、その振幅は検出電圧Ｖｉの最大値（出力電流Ｉｏの最大値が電流検出抵抗に流れたときの電圧値）に分圧抵抗（抵抗６１，６２）の分圧比を乗算して得られる電圧値よりも若干高い電圧値に規定されている。また、制御電圧発生部５２Ａは、差分信号ｅｉの極性が負のときには、差分信号ｅｉの値（または電圧値）の絶対値に応じて制御パルス電圧Ｖｃｏｐのデューティ比を減少させ（制御パルス電圧Ｖｃｏｐの平均電圧を低下させ）、一方、差分信号ｅｉの極性が正のときには、差分信号ｅｉの値（または電圧値）の絶対値に応じて制御パルス電圧Ｖｃｏｐのデューティ比を増加させる（制御パルス電圧Ｖｃｏｐの平均電圧を上昇させる）。
【００３３】
なお、図示はしないが、差分演算部５１および制御電圧発生部５２Ａについては、上記の構成に代えて、差分演算部５１が、電流検出基準信号Ｓｉ１の値（または電圧値）に対する増幅検出信号Ｓｉ２の値（または電圧値）の過不足分を、この過不足分の絶対値に比例して値（または電圧値）が変化し、かつ過分のときには極性が正となると共に不足のときには極性が負となる差分信号ｅｉとして出力し、また制御電圧発生部５２Ａが、差分信号ｅｉの極性が正のときには、差分信号ｅｉの値（または電圧値）の絶対値に応じて制御パルス電圧Ｖｃｏｐのデューティ比を減少させ（制御パルス電圧Ｖｃｏｐの平均電圧を低下させ）、一方、差分信号ｅｉの極性が負のときには、差分信号ｅｉの値（または電圧値）の絶対値に応じて制御パルス電圧Ｖｃｏｐのデューティ比を増加させる（制御パルス電圧Ｖｃｏｐの平均電圧を上昇させる）構成を採用することもできる。
【００３４】
電圧合成部５３Ａは、一例として、抵抗６１，６２，６３およびコンデンサ６４を備えて構成されている。この場合、抵抗６１は、一端に検出電圧Ｖｉが印加され、かつ他端が抵抗６２の一端に接続されている。抵抗６２は、一端が抵抗６１の他端に接続され、かつ他端が電源装置１の内部グランドＧに接続されている。このようにして、直列接続された抵抗６１，６２は、検出電圧Ｖｉを分圧する分圧抵抗として機能する。抵抗６３は、一端が制御電圧発生部５２Ａの出力端子に接続されることにより、制御パルス電圧Ｖｃｏｐが印加され、他端は抵抗６１，６２の接続点に接続されている。以上の構成により、抵抗６１，６２の接続点には、抵抗６１の一端に印加される検出電圧Ｖｉと、抵抗６３の一端に印加される制御パルス電圧Ｖｃｏｐの平均電圧とが合成された電圧が電流補正検出信号Ｖｏｐとして発生する。
【００３５】
この場合、抵抗６３の抵抗値は、抵抗６１の抵抗値に対して十分に大きな値（例えば十数倍から数十倍程度の大きさの値）に規定されている。このため、電流補正検出信号Ｖｏｐは、分圧抵抗（抵抗６１，６２）によって分圧された検出電圧Ｖｉの影響を主として受けて電圧値が変化し、かつ制御パルス電圧Ｖｃｏｐの平均電圧によってその電圧値が微調整され得る電圧となっている。コンデンサ６４は、抵抗６２に並列に接続されて、この電流補正検出信号Ｖｏｐを平滑する。
【００３６】
バッファ部２４は、例えば、オペアンプを用いて構成されたボルテージフォロワ回路で構成されて、電流補正検出信号Ｖｏｐを入力すると共に低インピーダンスでそのまま出力する。
【００３７】
信号補正部８Ｂは、図３に示すように、基準信号出力部２１、増幅部２２、電圧制御部２３Ｂおよびバッファ部２４を備えている。同じ符号を付した構成については、信号補正部８Ａと同じであるため、説明を省略して、相違する構成について説明する。
【００３８】
電圧制御部２３Ｂは、電圧制御部２３Ａと同様にして、電流検出基準信号Ｓｉ１および増幅検出信号Ｓｉ２を入力すると共に、電流検出基準信号Ｓｉ１と増幅検出信号Ｓｉ２の各値（または電圧値）の差分に基づいて電流補正検出信号Ｖｏｐの電圧値を制御して、増幅検出信号Ｓｉ２を電流検出基準信号Ｓｉ１に一致させる。
【００３９】
一例として、電圧制御部２３Ｂは、差分演算部５１および制御電圧発生部５２Ｂを備えると共に、制御電圧発生部５２Ｂから出力される後述の制御電圧Ｖｃｏに基づいて、出力する電流補正検出信号Ｖｏｐの電圧値を制御するための電圧合成部５３Ｂを備えている。この場合、差分演算部５１は、上記した電圧制御部２３Ａと同一であるため、説明を省略し、制御電圧発生部５２Ｂおよび電圧合成部５３Ｂについて説明する。
【００４０】
制御電圧発生部５２Ｂは、例えばＤ／Ａ変換器を備えて構成されて、差分演算部５１で算出された上記の差分に応じて電圧値が変化する制御電圧Ｖｃｏを出力する。一例として、制御電圧Ｖｃｏは、内部グランドＧの電位を基準とする電圧であって、内部グランドＧの電位と、検出電圧Ｖｉの最大値（出力電流Ｉｏの最大値が電流検出抵抗に流れたときの電圧値）に分圧抵抗（抵抗６１，６２）の分圧比を乗算して得られる電圧値よりも若干高い電圧値との間で電圧値が変化する電圧である。また、制御電圧発生部５２Ｂは、差分信号ｅｉの極性が負のときには、制御電圧Ｖｃｏを低下させ、一方、差分信号ｅｉの極性が正のときには、制御電圧Ｖｃｏを上昇させる。
【００４１】
なお、図示はしないが、差分演算部５１および制御電圧発生部５２Ｂについては、上記の構成に代えて、差分演算部５１が、電流検出基準信号Ｓｉ１の値（または電圧値）に対する増幅検出信号Ｓｉ２の値（または電圧値）の過不足分を、この過不足分の絶対値に比例して値（または電圧値）が変化し、かつ過分のときには極性が正となると共に不足のときには極性が負となる差分信号ｅｉとして出力し、また制御電圧発生部５２Ｂが、差分信号ｅｉの極性が正のときには、制御電圧Ｖｃｏを低下させ、一方、差分信号ｅｉの極性が負のときには、制御電圧Ｖｃｏを上昇させる構成を採用することもできる。
【００４２】
電圧合成部５３Ｂは、一例として、コンデンサ６４が省かれた以外は、電圧合成部５３Ａと同一に構成されて、抵抗６１の一端に印加される検出電圧Ｖｉと、抵抗６３の一端に印加される制御電圧Ｖｃｏとを合成して、電流補正検出信号Ｖｏｐとして抵抗６１，６２の接続点に発生させる。
【００４３】
突き合わせ回路部９は、例えば、図１に示すように、抵抗（規定の抵抗値の抵抗）で構成されている。このため、本例では、以下において、抵抗９ともいう。この抵抗９は、一端が信号補正部８に接続されることで、この一端に電流補正検出信号Ｖｏｐが印加される。また、抵抗９は、他端がバランス端子４に接続されている。つまり、抵抗９は、信号補正部８から出力される電流補正検出信号Ｖｏｐをバランス端子４に出力する。バランス端子４は、複数の電源装置１が並列に接続されて同時運転される際には、図１に示すように、他の電源装置１のバランス端子４と共通のラインＬＮ（バランス線）で接続される。この場合、他端がこのラインＬＮによって互いに接続された各電源装置１の抵抗（同一抵抗値の抵抗）９は、公知のアナログ電圧の平均回路を構成する。したがって、各電源装置１の抵抗９の一端に各電源装置１の信号補正部８から印加されている電流補正検出信号Ｖｏｐは、この抵抗９で構成される平均回路によって平均され、この平均された電圧がバランス電圧信号としてのバランス電圧Ｖｂｌとして各バランス端子４に発生する。
【００４４】
比較部１０は、例えばオペアンプを用いて構成されて、図１に示すように、電流補正検出信号Ｖｏｐとバランス電圧Ｖｂｌとを比較して、両電圧Ｖｏｐ，Ｖｂｌの差分に応じて変化する差分電圧信号としての差分電圧Ｖｄｆ（この差分に応じて電圧値が変化する電圧）を出力する。また、比較部１０は、基準電圧出力部１１、電圧合成部１２、誤差検出部１３およびスイッチング制御部１４と共に、スイッチング素子５ａのスイッチング動作を制御する制御部ＣＮＴを構成する。例えば、比較部１０は、電流補正検出信号Ｖｏｐがバランス電圧Ｖｂｌよりも低いときには、極性が正であって、両電圧Ｖｏｐ，Ｖｂｌの差分の絶対値に比例した電圧値で差分電圧Ｖｄｆを出力し、一方、電流補正検出信号Ｖｏｐがバランス電圧Ｖｂｌよりも高いときには、極性が負であって、両電圧Ｖｏｐ，Ｖｂｌの差分の絶対値に比例した電圧値で差分電圧Ｖｄｆを出力する。また、比較部１０は、両電圧Ｖｏｐ，Ｖｂｌの差分を減少させるための信号としてこの差分電圧Ｖｄｆを出力する。
【００４５】
基準電圧出力部１１は、この電源装置１での出力電圧Ｖｏについての初期目標電圧値に対応する第１基準電圧値を示す第１基準電圧信号としての第１基準電圧Ｖｒｆ（図１中では、３個の電源装置１１，１２，１３に対応させて、第１基準電圧Ｖｒｆ１，Ｖｒｆ２，Ｖｒｆ３と表記している）を出力する。例えば、複数の電源装置１が負荷ＬＤに対して並列に接続されて同時運転される場合、各電源装置１と負荷ＬＤとを接続する配線の長さは、同一になることは希であり、通常は互いに相違する。このため、この配線で生じる電圧降下が電源装置１毎に相違することから、電源装置１毎の電圧降下を考慮して、第１基準電圧Ｖｒｆの第１基準電圧値が個別に調整される。
【００４６】
電圧合成部１２は、図１に示すように、第１基準電圧信号と差分電圧信号（本例では、第１基準電圧Ｖｒｆと差分電圧Ｖｄｆ）とを合成（加算）して第２基準電圧信号としての第２基準電圧Ｖｒｓを出力する。この場合、差分電圧Ｖｄｆは、電流補正検出信号Ｖｏｐとバランス電圧Ｖｂｌとに基づいて上記のように極性および電圧値が変化する。このため、第２基準電圧Ｖｒｓは、電流補正検出信号Ｖｏｐとバランス電圧Ｖｂｌとが一致しているときには、差分電圧Ｖｄｆがゼロボルトになることから、第１基準電圧Ｖｒｆと同じ電圧値となる。また、第２基準電圧Ｖｒｓは、電流補正検出信号Ｖｏｐがバランス電圧Ｖｂｌよりも低いときには、差分電圧Ｖｄｆが極性が正で、かつ両電圧Ｖｏｐ，Ｖｂｌの差分の絶対値に比例した電圧値となることから、第１基準電圧Ｖｒｆよりも差分電圧Ｖｄｆの絶対値だけ高い電圧値となる。また、第２基準電圧Ｖｒｓは、電流補正検出信号Ｖｏｐがバランス電圧Ｖｂｌよりも高いときには、差分電圧Ｖｄｆが極性が負で、かつ両電圧Ｖｏｐ，Ｖｂｌの差分の絶対値に比例した電圧値となることから、第１基準電圧Ｖｒｆよりも差分電圧Ｖｄｆの絶対値だけ低い電圧値となる。
【００４７】
誤差検出部１３は、例えばオペアンプを用いて構成されて、図１に示すように、検出電圧信号と第２基準電圧信号（本例では、検出電圧Ｖｖと第２基準電圧Ｖｒｓ）とを比較して両電圧Ｖｖ，Ｖｒｓの差分に応じて変化する誤差電圧信号としての誤差電圧Ｖｅｒ（この差分に応じて電圧値が変化する電圧）を出力する。例えば、誤差検出部１３は、検出電圧Ｖｖが第２基準電圧Ｖｒｓよりも低いときには、極性が正であって、両電圧Ｖｖ，Ｖｒｓの差分の絶対値に比例した電圧値で誤差電圧Ｖｅｒを出力し、一方、検出電圧Ｖｖが第２基準電圧Ｖｒｓよりも高いときには、極性が負であって、両電圧Ｖｖ，Ｖｒｓの差分の絶対値に比例した電圧値で誤差電圧Ｖｅｒを出力する。また、誤差検出部１３は、両電圧Ｖｖ，Ｖｒｓの差分を減少させるための信号としてこの誤差電圧Ｖｅｒを出力する。なお、本例の誤差検出部１３は、上記したように、両電圧Ｖｖ，Ｖｒｓの差分の絶対値に比例した電圧値で誤差電圧Ｖｅｒを出力する構成（Ｐ制御の構成）を採用しているが、この構成に代えて、ＰＩ制御の構成（先の誤差電圧Ｖｅｒを出力した後の次の誤差電圧Ｖｅｒの出力に際して、現在の両電圧Ｖｖ，Ｖｒｓの差分に相当する分（ΔＶｅｒ）を先の誤差電圧Ｖｅｒに加算したもの（Ｖｅｒ＋ΔＶｅｒ）を出力する構成）を採用することもできる。
【００４８】
スイッチング制御部１４は、図１に示すように、誤差検出部１３から出力される誤差電圧信号（本例では、誤差電圧Ｖｅｒ）に基づいて駆動信号Ｓｄを生成して、電力変換部５のスイッチング素子５ａに出力することにより、電流補正検出信号Ｖｏｐとバランス電圧Ｖｂｌの差分を減少させ、かつ検出電圧信号と第２基準電圧信号（本例では、検出電圧Ｖｖと第２基準電圧Ｖｒｓ）の差分を減少させるようにスイッチング素子５ａのスイッチング動作を制御する。具体的には、電力変換部５がＰＷＭ（パルス幅変調）制御によって出力電圧Ｖｏを制御する構成であるときには、スイッチング制御部１４は、駆動信号Ｓｄのデューティ比を制御することで、両電圧Ｖｏｐ，Ｖｂｌの差分が減少し、かつ両電圧Ｖｖ，Ｖｒｓの差分が減少するようにスイッチング素子５ａのスイッチング動作を制御する。一方、電力変換部５がＰＦＭ（パルス周波数変調）制御によって出力電圧Ｖｏを制御する構成であるときには、スイッチング制御部１４は、駆動信号Ｓｄの周波数を制御することで、両電圧Ｖｏｐ，Ｖｂｌの差分が減少し、かつ両電圧Ｖｖ，Ｖｒｓの差分が減少するようにスイッチング素子５ａのスイッチング動作を制御する。
【００４９】
次に、電源装置１の動作について、共通の負荷ＬＤに電源装置１を複数個並列接続（本例では一例として、図１に示すように３個を並列に接続）して同時運転させる電源システムＰＳＹＳを例に挙げて説明する。
【００５０】
なお、本例では一例として、電源装置１１，１２，１３の各入力端子２には、共通の入力電圧Ｖｉｎが入力されるものとするが、これに限らず、電源装置１１，１２，１３の各入力端子２に個別の入力電圧Ｖｉｎが入力される構成であってもよい。
【００５１】
また、電源装置１１，１２，１３は負荷ＬＤにそれぞれ接続されてはいるが、それぞれのバランス端子４が共通のラインＬＮで接続される前の状態において、同じ電流値の出力電流Ｉｏを出力しているときの負荷ＬＤの両端間の電圧ＶＬが揃うように、それぞれの第１基準電圧Ｖｒｆが第１基準電圧Ｖｒｆ１，Ｖｒｆ２，Ｖｒｆ３に個別に調整されているものとする。この場合、例えば、負荷ＬＤとの間の配線の抵抗値が電源装置１１，１２，１３の順に大きい（高い）ときには、同じ電流値の出力電流Ｉｏが流れたときの配線での電圧降下もこの順に大きくなる。このことから、電源装置１１，１２，１３の各出力電圧Ｖｏ１，Ｖｏ２，Ｖｏ３についてはこの順に高くする必要があるため、第１基準電圧Ｖｒｆ１，Ｖｒｆ２，Ｖｒｆ３はこの順に高くなるように調整されているものとする。
【００５２】
図１に示す電源システムＰＳＹＳにおいて同時に運転させられている各電源装置１１，１２，１３では、電圧検出部６が出力電圧Ｖｏを検出して検出電圧Ｖｖを出力し、また電流検出部７が出力電流Ｉｏを検出すると共に電圧信号としての検出電圧Ｖｉに変換して出力している。また、信号補正部８が、検出電圧Ｖｉに基づいて、出力電流Ｉｏ１，Ｉｏ２，Ｉｏ３に対応して電圧値が変化する電流補正検出信号Ｖｏｐ１，Ｖｏｐ２，Ｖｏｐ３を出力する。
【００５３】
この場合、信号補正部８では、基準信号出力部２１が、検出電圧Ｖｉを入力すると共に、この検出電圧Ｖｉに電流検出部７において生じる検出誤差分を補正した電流検出基準信号Ｓｉ１を出力する（電流検出部７において生じるこれらの検出誤差を含んでいる検出電圧Ｖｉからこの検出誤差分を補正で除去して、電流検出基準信号Ｓｉ１として出力する）。また、増幅部２２が、電圧合成部５３Ａ（または５３Ｂ）から出力される電流補正検出信号Ｖｏｐを入力すると共に、この電流補正検出信号Ｖｏｐを増幅して増幅検出信号Ｓｉ２を出力する。また、電圧制御部２３Ａ（または２３Ｂ）が、基準信号出力部２１から出力される電流検出基準信号Ｓｉ１と増幅部２２から出力される増幅検出信号Ｓｉ２とを入力すると共に、電流検出基準信号Ｓｉ１と増幅検出信号Ｓｉ２の各値（または電圧値）の差分に基づいて電流補正検出信号Ｖｏｐの電圧値を制御して、増幅検出信号Ｓｉ２の電圧値を電流検出基準信号Ｓｉ１の電圧値に一致させる。このようにして、電流補正検出信号Ｖｏｐに基づいて生成される増幅検出信号Ｓｉ２が、電流検出基準信号Ｓｉ１（電流検出部７において生じる検出誤差が検出電圧Ｖｉから除去された信号）と一致させられることから、電流補正検出信号Ｖｏｐは、電流検出部７において生じる検出誤差分が検出電圧Ｖｉから除去された信号（電流検出基準信号Ｓｉ１）に正確に対応する信号となっている。
【００５４】
また、各電源装置１１，１２，１３の信号補正部８から出力される各電流補正検出信号Ｖｏｐ１，Ｖｏｐ２，Ｖｏｐ３は、他端がバランス端子４およびラインＬＮを経由して互いに接続されて平均回路を構成するそれぞれの抵抗９の一端に印加される。このため、バランス端子４には、電流補正検出信号Ｖｏｐ１，Ｖｏｐ２，Ｖｏｐ３の平均電圧であるバランス電圧Ｖｂｌ（＝（Ｖｏｐ１＋Ｖｏｐ２＋Ｖｏｐ３）／３）が発生する。
【００５５】
また、各電源装置１１，１２，１３では、比較部１０が、それぞれの装置１１，１２，１３での電流補正検出信号Ｖｏｐ１，Ｖｏｐ２，Ｖｏｐ３と共通のバランス電圧Ｖｂｌとを個別に比較して、電流補正検出信号Ｖｏｐ１，Ｖｏｐ２，Ｖｏｐ３のそれぞれとバランス電圧Ｖｂｌとの差分に応じて変化する差分電圧Ｖｄｆを出力する。この場合、比較部１０は、上記したように、電流補正検出信号Ｖｏｐがバランス電圧Ｖｂｌよりも低いとき、つまり、この電流補正検出信号Ｖｏｐを出力している信号補正部８が設けられた電源装置１での出力電流Ｉｏが、バランス電圧Ｖｂｌで示される各電源装置１１，１２，１３での出力電流Ｉｏの平均よりも低いときには、両電圧Ｖｏｐ，Ｖｂｌの差分の絶対値に比例した電圧値であって極性が正の差分電圧Ｖｄｆを出力する。一方、比較部１０は、上記したように、電流補正検出信号Ｖｏｐがバランス電圧Ｖｂｌよりも高いとき、つまり、この電流補正検出信号Ｖｏｐを出力している信号補正部８が設けられた電源装置１での出力電流Ｉｏが、バランス電圧Ｖｂｌで示される各電源装置１１，１２，１３での出力電流Ｉｏの平均よりも高いときには、両電圧Ｖｏｐ，Ｖｂｌの差分の絶対値に比例した電圧値であって極性が負の差分電圧Ｖｄｆを出力する。
【００５６】
また、各電源装置１１，１２，１３では、電圧合成部１２が第１基準電圧Ｖｒｆとこの差分電圧Ｖｄｆとを合成（加算）して第２基準電圧Ｖｒｓを出力する。これにより、バランス電圧Ｖｂｌで示される各電源装置１１，１２，１３での出力電流Ｉｏの平均よりも出力電流Ｉｏが小さい電源装置１では、第１基準電圧Ｖｒｆに正の差分電圧Ｖｄｆが合成（加算）されることから、第２基準電圧Ｖｒｓは第１基準電圧Ｖｒｆよりも高い電圧値となる。一方、バランス電圧Ｖｂｌで示される各電源装置１１，１２，１３での出力電流Ｉｏの平均よりも出力電流Ｉｏが大きい電源装置１では、第１基準電圧Ｖｒｆに負の差分電圧Ｖｄｆが合成（加算）されることから、第２基準電圧Ｖｒｓは第１基準電圧Ｖｒｆよりも低い電圧値となる。
【００５７】
また、各電源装置１１，１２，１３では、誤差検出部１３が、検出電圧Ｖｖと第２基準電圧Ｖｒｓの差分に応じて変化する誤差電圧Ｖｅｒを出力し、スイッチング制御部１４が、この誤差電圧Ｖｅｒに基づいて駆動信号Ｓｄを生成して、電力変換部５のスイッチング素子５ａに出力することにより、両電圧Ｖｏｐ，Ｖｂｌの差分が減少し、かつ両電圧Ｖｖ，Ｖｒｓの差分が減少するようにスイッチング素子５ａのスイッチング動作を制御する。
【００５８】
これにより、バランス電圧Ｖｂｌで示される各電源装置１１，１２，１３での出力電流Ｉｏの平均よりも出力電流Ｉｏが小さい電源装置１では、上記したように第２基準電圧Ｖｒｓが第１基準電圧Ｖｒｆよりも高い電圧値となり、これに伴い、スイッチング制御部１４が、誤差電圧Ｖｅｒに基づいて両電圧Ｖｖ，Ｖｒｓの差分が減少するように、電力変換部５のスイッチング素子５ａを制御して、出力電圧Ｖｏを上昇させる。したがって、各電源装置１１，１２，１３での出力電流Ｉｏの平均よりも出力電流Ｉｏが小さい電源装置１では、出力電流Ｉｏが増加させられる。
【００５９】
一方、バランス電圧Ｖｂｌで示される各電源装置１１，１２，１３での出力電流Ｉｏの平均よりも出力電流Ｉｏが大きい電源装置１では、上記したように第２基準電圧Ｖｒｓが第１基準電圧Ｖｒｆよりも低い電圧値となり、これに伴い、スイッチング制御部１４が、誤差電圧Ｖｅｒに基づいて両電圧Ｖｖ，Ｖｒｓの差分が減少するように、電力変換部５のスイッチング素子５ａを制御して、出力電圧Ｖｏを低下させる。したがって、各電源装置１１，１２，１３での出力電流Ｉｏの平均よりも出力電流Ｉｏが大きい電源装置１では、出力電流Ｉｏが減少させられる。
【００６０】
この結果、各電源装置１１，１２，１３では、電流補正検出信号Ｖｏｐ１，Ｖｏｐ２，Ｖｏｐ３で示されるそれぞれでの出力電流Ｉｏ１，Ｉｏ２，Ｉｏ３が、バランス電圧Ｖｂｌで示される各電源装置１１，１２，１３での出力電流Ｉｏ１，Ｉｏ２，Ｉｏ３の平均と一致するように、つまり、電流補正検出信号Ｖｏｐ１，Ｖｏｐ２，Ｖｏｐ３で示されるそれぞれの出力電流Ｉｏ１，Ｉｏ２，Ｉｏ３が一致するように、各出力電圧Ｖｏ１，Ｖｏ２，Ｖｏ３が制御される。
【００６１】
このように、この電源装置１では、信号補正部８が、検出電圧Ｖｉに対する補正を実行して、電流検出部７において生じる検出誤差が検出電圧Ｖｉから除去された電流検出基準信号Ｓｉ１の値（つまり、出力電流Ｉｏの電流値）に電圧値が正確に対応する信号である電流補正検出信号Ｖｏｐを出力し、この電流補正検出信号Ｖｏｐを抵抗９を介してバランス端子４に出力する。
【００６２】
具体的には、信号補正部８は、検出電圧Ｖｉを入力すると共に、電流検出部７において検出電圧Ｖｉに生じる検出誤差分を補正した電流検出基準信号Ｓｉ１を出力する基準信号出力部２１と、電流補正検出信号Ｖｏｐを入力すると共に増幅して増幅検出信号Ｓｉ２を出力する増幅部２２と、電流検出基準信号Ｓｉ１および増幅検出信号Ｓｉ２を入力すると共に、電流検出基準信号Ｓｉ１と増幅検出信号Ｓｉ２の各値（または電圧値）の差分に基づいて電流補正検出信号Ｖｏｐの電圧値を制御して、増幅検出信号Ｓｉ２の値（または電圧値）を電流検出基準信号Ｓｉ１の値（または電圧値）に一致させる電圧制御部２３Ａ（２３Ｂ）とを備えて構成されている。
【００６３】
したがって、この電源装置１によれば、共通の負荷ＬＤに対して複数個を並列に接続すると共に、各電源装置１のバランス端子４を共通のラインＬＮで接続した際に、電流検出部７において生じる検出誤差の影響のない（つまり、出力電流Ｉｏの電流値に正確に電圧値が対応する）電流補正検出信号Ｖｏｐがそれぞれのバランス端子４に出力されるため、各電源装置１の電流検出部７において個別に生じる検出誤差の影響を受けることなく、各電源装置１から負荷ＬＤに出力される出力電流Ｉｏ１，Ｉｏ２，Ｉｏ３の電流値を正確に揃えること（同一にすること）ができる。
【００６４】
また、この電源装置１では、基準信号出力部２１は、検出電圧Ｖｉの電圧値を示す第１電圧情報としての波形データＤｉ１に検出電圧Ｖｉを変換するＡ／Ｄ変換部３１と、予め規定された補正情報に基づいて波形データＤｉ１を補正して、検出誤差分を補正した電流検出基準信号Ｓｉ１（基準信号情報）を算出して出力する基準信号演算部３２とを備えて構成され、増幅部２２は、電流補正検出信号Ｖｏｐの電圧値を示す第２電圧情報としての波形データＤｉ２に電流補正検出信号Ｖｏｐを変換するＡ／Ｄ変換部４１と、波形データＤｉ２および予め規定された増幅情報に基づいて増幅検出信号Ｓｉ２（増幅信号情報）を算出して出力する増幅信号演算部４２とを備えて構成され、電圧制御部２３Ａは、電流検出基準信号Ｓｉ１（基準信号情報）および増幅検出信号Ｓｉ２（増幅信号情報）を入力して、各信号Ｓｉ１，Ｓｉ２の差分を算出する差分演算部５１と、この算出した差分に応じてデューティ比が変化する制御パルス電圧Ｖｃｏｐを発生させる制御電圧発生部５２Ａとを備えると共に、制御パルス電圧Ｖｃｏｐに基づいて電流補正検出信号Ｖｏｐの電圧値を制御する。また、この電源装置１では、電圧制御部２３Ａに代えて、差分演算部５１と、算出した各信号Ｓｉ１，Ｓｉ２の差分に応じて電圧値が変化する制御電圧Ｖｃｏを発生される制御電圧発生部５２Ｂとを備えると共に、制御電圧Ｖｃｏに基づいて電流補正検出信号Ｖｏｐの電圧値を制御する電圧制御部２３Ｂを備える構成を採用することもできる。
【００６５】
したがって、この電源装置１によれば、デジタル処理により、電流検出基準信号Ｓｉ１（基準信号情報）を算出し、増幅検出信号Ｓｉ２（増幅信号情報）を算出し、かつ各信号Ｓｉ１，Ｓｉ２に基づいて制御パルス電圧Ｖｃｏｐまたは制御電圧Ｖｃｏを生成して電流補正検出信号Ｖｏｐの電圧値を制御することができる。このため、この電源装置１によれば、電流検出部７において生じる検出誤差をデジタル処理でより正確に検出電圧Ｖｉから除去して電流検出基準信号Ｓｉ１（基準信号情報）を算出することができ、これにより、出力電流Ｉｏの電流値により正確に対応する電流補正検出信号Ｖｏｐをバランス端子４に出力することができることから、各電源装置１から負荷ＬＤに出力される出力電流Ｉｏ１，Ｉｏ２，Ｉｏ３の電流値を一層正確に揃えること（同一にすること）ができる。
【００６６】
また、上記したように、基準信号出力部２１、増幅部２２および制御電圧発生部５２Ａ（または５２Ｂ）をデジタル処理する構成とするときには、基準信号出力部２１、増幅部２２および制御電圧発生部５２Ａ（または５２Ｂ）をマイコンおよびデジタルシグナルプロセッサのうちのいずれか一方で構成するのが好ましい。この構成を採用することにより、信号補正部８を構成する回路の集約化を図ることができることから、信号補正部８の小型化を実現することができる。また、差分演算部５１についてもデジタル処理する構成として、マイコンおよびデジタルシグナルプロセッサのうちのいずれか一方で構成してもよい。この構成により、信号補正部８を構成する回路のさらなる集約化を図ることができる。
【符号の説明】
【００６７】
１  電源装置
３ａ，３ｂ  出力端子
４  バランス端子
５  電力変換部
５ａ  スイッチング素子
７  電流検出部
８  信号補正部
９  抵抗（突き合わせ回路部）
１４  スイッチング制御部
ＣＮＴ  制御部
Ｉｏ  出力電流
ＬＤ  負荷
Ｖｉ  検出電圧
Ｖｉｎ  入力電圧
Ｖｏ  出力電圧
Ｖｏｐ  電流補正検出信号
【図１】
2019092244.tif 000003
【図２】
2019092244.tif 000004
【図３】
2019092244.tif 000005